(57)【要約】  表示装置が備える表示パネルの色度または輝度の少なくともいずれか一方を検出する第１のセンサと、表示パネルに対するユーザの視角を表す視角情報の入力を受け付ける入力部と、入力部から入力される視角情報に応じて、表示パネルに対する第１のセンサの角度を変更する角度制御部とを有する。表示パネルに対するユーザの視角を検出する第２のセンサを設けることも可能である。この場合、入力部が、第２のセンサの検出結果の入力を受け付けるようにすることもできる。
2010109625.tif 000002
【特許請求の範囲】
【請求項１】
表示装置が備える表示パネルの色度または輝度の少なくともいずれか一方を検出する第１のセンサと、
前記表示パネルに対するユーザの視角を表す視角情報の入力を受け付ける入力部と、
前記入力部から入力される視角情報に応じて、前記表示パネルに対する第１のセンサの角度を変更する角度制御部と、
を有することを特徴とする表示装置。
【請求項２】
表示パネルに対するユーザの視角を検出する第２のセンサを有し、
前記入力部は、前記第２のセンサの検出結果の入力を受け付ける
ことを特徴とする請求項１記載の表示装置。
【請求項３】
入力部が、表示装置が備える表示パネルに対するユーザの視角を表す視角情報の入力を受け付け、
センサが、前記表示パネルの色度または輝度の少なくともいずれか一方を検出し、
角度制御部が、前記入力部から入力される視角情報に応じて、前記表示パネルに対する第１のセンサの角度を変更する
ことを特徴とする表示方法。
【発明の詳細な説明】
【技術分野】
【０００１】
本発明は、表示パネルの色度あるいは輝度を測定するセンサを備える表示装置、表示方法に関する。
【背景技術】
【０００２】
従来、液晶モニタ等の視野角依存性のある表示装置の場合、画面を見る視聴者の角度に対応した色味や輝度を最適な画質にするための方法として、下記の特許文献に記載された技術がある。
この技術では、ＬＵＴ（Look up Table）を用い、表示装置の画面に対して視聴者が見る角度に応じて、画質補正マトリクスを選択し、選択した画質補正マトリクスを用いて画像を補正する。これにより、視聴者の位置に応じた画質補正を行うことができる。
【特許文献１】特開２００６−２７６６９２号公報
【発明の開示】
【発明が解決しようとする課題】
【０００３】
しかしながら、上述の技術においては、次のような問題点がある。
第1の問題は、予め工場出荷時に画質補正用のLUTが設けられており、このＬＵＴを参照し、視聴者の角度に応じて画質補正マトリクスを選択する。このため、最適な画質補正を行うには、種々の視角に対応するためには、膨大なLUTや、補間係数を求めるために複雑な計算をする必要がある。
第2の問題は、予め工場出荷時の画質補正LUTを基準として用いるため、視聴者が実際に画面正面から見る画質補正が正しいか否かのフィードバックがなされていない。従って、例えば、実際には、表示装置の液晶パネルの温度変化による輝度や色味の変化に追従できない問題がある。 
第3の問題は、液晶パネル等の表示装置は、経時的に輝度や色味が変化するため、工場出荷時の初期データのLUTを長期間使用した場合、輝度や色味の変化に対応できず、従って、実際の輝度や色味の補正にズレが生じてしまう。【０００４】
上述した問題を解決するために、本発明は、ＬＵＴを用いずに、視聴者の角度に応じて画像を補正す表示装置、表示方法を提供する。
【課題を解決するための手段】
【０００５】
上述した課題を解決するために、本発明は、表示装置が備える表示パネルの色度または輝度の少なくともいずれか一方を検出する第１のセンサと、前記表示パネルに対するユーザの視角を表す視角情報の入力を受け付ける入力部と、前記入力部から入力される視角情報に応じて、前記表示パネルに対する第１のセンサの角度を変更する角度制御部と、を有することを特徴とする。【０００６】
また、本発明は、上述の表示装置において、表示パネルに対するユーザの視角を検出する第２のセンサを有し、前記入力部は、前記第２のセンサの検出結果の入力を受け付けることを特徴とする。【０００７】
また、本発明は、入力部が、表示装置が備える表示パネルに対するユーザの視角を表す視角情報の入力を受け付け、センサが、前記表示パネルの色度または輝度の少なくともいずれか一方を検出し、角度制御部が、前記入力部から入力される視角情報に応じて、前記表示パネルに対する第１のセンサの角度を変更することを特徴とする。【０００８】
このように、本発明における視野角補正装置は、表示装置の前面部分に配置された可動式の色と輝度を感知する第1のセンサ（フロントセンサ）を有し、視聴者の表示装置に対する視角を検知する第2のセンサにより検知した視角に追従するように第1のセンサの角度を動かし、表示装置の輝度あるいは色度を測定し、視野角補正を行うものである。 
【発明の効果】
【０００９】
本発明によれば、視聴者の視角を表す視角情報を得て、この視角情報に応じて、色度あるいは輝度を検出する第１のセンサの検出角度を変更するようにした。
これにより得られる第1の効果は、第１のセンサを可動式にすることにより、実際の視聴者の視角に第1のセンサを合わせることができ、視聴者の視角における表示パネルの色度、輝度の検出が可能になった。これにより、視聴者の視角に応じた色度、輝度の補正を行うことができ、視聴者に対し、角度依存性を低減することができる。
第２の効果は、工場出荷時に予め格納するＬＵＴが不要になり、リアルタイムに輝度、色度を補正することが可能になった。 
第３の効果は、表示モニタのパネルやランプが経時的に変化した場合であっても、第１のセンサにて測定し、実際に表示された色度、輝度にしたがって補正することが可能になった。 
【図面の簡単な説明】
【００１０】
【図１】本発明の実施形態における表示装置の構成を示す概略ブロック図である。
【図２】図１の構成における表示装置の動作を説明するフローチャートである。
【図３】駆動部の構成を示す構成図である。
【符号の説明】
【００１１】
１  フロントセンサ                            ２  表示パネル
３  色・輝度検出部                            ４  色・輝度補正部
５  映像信号発生部                            ６  視聴者位置検出センサ
７  位置検出部                                ８  視角検出部
９  角度制御部
【発明を実施するための最良の形態】
【００１２】
図１は、本発明の実施形態における表示装置の構成を示す概略ブロック図である。この図において、フロントセンサ１は、テレビ、モニタ等の表示装置の表示パネル２の前面（表示面）に配置され、映像信号が表示された表示パネル２の色度と輝度とのうち少なくともいずれか一方を検出する。ここでは、色度と輝度との両方を検出する。また、このフロントセンサ１は、後述する角度制御部９から出力される制御信号に応じて、表示パネル２に対する検出角度を変更する駆動部を有する。この駆動部は、例えば、図３に示すように、表示パネル２の全面側のベゼル部２０に配置される。この図３においては、一例として、表示パネル２の上面側のベゼル部２０に配置される。このベゼル部２０には、回転駆動モータ２１が設けられている。この回転駆動モータ２１の駆動軸の先端には、色・輝度検出センサ２２が、その検出可能な領域が表示パネル２に向かうように設けられている。この回転駆動モータ２１が駆動することによって、色・輝度検出センサ２２の表示パネル２に対する検出する角度が、例えば、左右の方向に変化する。【００１３】
表示パネル２は、各種映像信号を表示する。この表示パネル２は、例えば、液晶パネルであり、視角によっては、見える色あるいは輝度が異なる特性がある。ここでいう視角とは、表示パネルに対し、視聴者が位置する角度である。色・輝度検出部３は、フロントセンサ１から出力されるアナログの検出信号を入力し、デジタルの検出信号に変換して色・輝度補正部４に出力する。色・輝度補正部4は、映像信号発生部５から出力される映像信号に対し、色度、輝度を補正し、表示パネル２に出力する。映像信号発生部5は、各種の映像信号を生成し、生成した映像信号を色・輝度補正部４に出力する。【００１４】
視聴者位置検出センサ6は、表示装置に設けられており、視聴者の位置を検出する。この視聴者位置検出センサ６は、視聴者の視角を各種の公知の検出機能、例えば、赤外線センサ、超音波センサ、リモコンからの発光位置検出、デジタルカメラ等で採用されている顔検出機能を用いて視角を検知する。CCD（Charge Coupled Device）カメラ等を用いた方法やデジタルカメラの顔認識機能を用い、視聴者の顔を認識し、この認識した顔の位置を視聴者の位置として検出することができる。【００１５】
ここでは、視聴者位置検出センサ６として、上述の各種センサを用いる以外に、視聴者がテレビ、モニタ等のリモコンに設けられた操作ボタンを押下することによって、視角を入力するようにしてもよい。ここでは、操作ボタンが押下され、リモコンの発光部が発光すると、表示装置がこの光を受光し、受光した光の位置を特定することによって、視聴者の位置を特定することが可能である。【００１６】
位置検出部7は、視聴者位置検出センサ6が出力する視聴者の位置の検出結果を得て、視聴者の位置を特定し、特定結果から、視聴者の位置における表示パネル２に対する角度を表す信号を生成する。視角検出部8は、位置検出部７から出力された、確定した視聴者の視角位置に基づいて、視角を決定する。すなわち、視聴者が動く場合や視聴者が複数存在する場合に対応した角度を決定する。ここでいう視角位置とは、そのときの視聴者の位置である。角度制御部9は、フロントセンサ１のセンサ角度を指示する制御信号を生成し、フロントセンサ１に出力する。【００１７】
次に、上述した図１の構成における表示装置の動作について、図２のフローチャートを用いて説明する。
視聴者位置検出センサ６は、視聴者の視聴位置を検知し、検知結果を表す検知信号を出力する（ステップＳ１）。ここでは、視聴者が操作ボタンを押下して、自身の視聴位置を表示装置に通知するようにしてもよい。
視聴者位置検出センサ６から検知信号が出力されると、位置検出部７は、検知信号が表す視聴者の位置と表示装置との角度を検出し、検出した角度を視聴者の視角を表す視角信号に変換し、視角検出部８に出力する（ステップＳ２）。【００１８】
視角検出部８は、位置検出部７から出力される視角信号に基づいて、視角位置を決定する。この視角位置の決定は、例えば、時間に応じて変化する視聴者位置に対してヒステリシス等や、複数の視聴者で見る場合は、どの視聴者を優先するかを表す予め設定された優先度に従い、その優先度が高い視聴者の位置を検出したり、複数の視聴者の位置の平均（例えば、各視聴者の位置に対応する座標の値の平均を求めることによって得られる重心）を求め、得られた結果を視角位置として決定する（ステップＳ３）。【００１９】
視角位置が決定されると、角度制御部９は、視角位置に応じた角度になるように、フロントセンサ1の液晶パネル２に対する角度を制御する角度制御信号をフロントセンサ１に出力する（ステップＳ４）。フロントセンサ1は、角度制御部９から出力される角度制御信号に従い、角度を変更する（ステップＳ５）。ここでは、回転駆動モータ２１が角度制御部９からの指示に応じて駆動し、色・輝度検出センサ２２の検出方向の向きを変更する。【００２０】
ここで、表示パネル２とフロントセンサ１とが重なる領域における表示は、外部（映像信号発生部５）から入力される映像信号とは異なり、表示装置内部で生成した各色(Ｒ、Ｇ、Ｂ)または、発光色の合成である白色を表示し、この表示した色を低階調から高階調を順次表示し、それぞれの階調において測定することによって、フロントセンサ１によるガンマ特性を測定する。色・輝度検出部３は、フロントセンサ１から出力される測定結果を表すアナログの検出信号を入力し、このアナログの検出信号をデジタルの検出信号に変換し、色・輝度変換部４に出力する。色・輝度補正部４は、色・輝度検出部３から出力される検出結果から、本来の輝度、色出力になるように補正する（ステップＳ６）。例えば、色・輝度補正部４は、本来のガンマ特性が２．２である場合に、色・輝度検出部３からガンマ２．２からずれた検出結果が得られた場合、映像信号発生部５から出力される映像信号を補正し、正規のガンマ２．２に補正して、表示パネル２に出力する。【００２１】
以降、電源断あるいは終了の指示が入力されるまで、ステップＳ１に移行し、ステップＳ６までの処理を繰り返す（ステップＳ７）。
【産業上の利用可能性】
【００２２】
表示装置に対する視聴者の位置に応じて、表示装置の色・輝度を補正することができる。
【図１】
2010109625.tif 000003
【図２】
2010109625.tif 000004
【図３】
2010109625.tif 000005
【国際調査報告】
2010109625.tif 000006
2010109625.tif 000007